(57)【特許請求の範囲】
【請求項１】
発着信に使用する複数の外線電話番号を備え、固有の内線電話番号を各別に有する複数の内線電話機が接続する内線電話網と、外線電話網間の発着信の接続を制御する内線電話システムであって、
前記内線電話機から前記外線電話網への発信要求があった場合に、使用されていない前記外線電話番号の１つを割り当てて前記内線電話機を前記外線電話網に接続する発信手段と、
前記内線電話機が前記外線電話網へ接続されると、発信先の相手先電話番号、前記内線電話機の前記内線電話番号、割り当てられた前記外線電話番号及び発信時刻を含む発信情報を所定のデータベースに記憶する記憶手段と、
前記外線電話網から前記複数の外線電話番号の１つへの着信を受け付けると、発信元の相手先電話番号、及び、着信に使用された前記外線電話番号をキーとして前記データベースを検索して、抽出された前記発信情報から前記内線電話番号を取得する検索手段と、
前記検索手段において前記内線電話番号が１つ検索された場合に、受け付けた着信を検索された前記内線電話番号に対応する前記内線電話機に接続する接続手段と、を備え、
前記内線電話機から前記外線電話網への接続要求があった場合、前記検索手段は、前記内線電話番号と前記相手先電話番号をキーに同じ前記内線電話番号と前記相手先電話番号を備える前記発信情報を検索して、１以上の前記発信情報が抽出された場合、抽出された前記発信情報に含まれる１または複数の前記外線電話番号を抽出し、
前記発信手段は、抽出された前記外線電話番号の１つを割り当てて前記外線電話網と接続することを特徴とする内線電話システム。
【請求項２】
発着信に使用する複数の外線電話番号を備え、固有の内線電話番号を各別に有する複数の内線電話機が接続する内線電話網と、外線電話網間の発着信の接続を制御する内線電話システムであって、
前記内線電話機から前記外線電話網への発信要求があった場合に、使用されていない前記外線電話番号の１つを割り当てて前記内線電話機を前記外線電話網に接続する発信手段と、
前記内線電話機が前記外線電話網へ接続されると、発信先の相手先電話番号、前記内線電話機の前記内線電話番号、割り当てられた前記外線電話番号及び発信時刻を含む発信情報を所定のデータベースに記憶する記憶手段と、
前記外線電話網から前記複数の外線電話番号の１つへの着信を受け付けると、発信元の相手先電話番号、及び、着信に使用された前記外線電話番号をキーとして前記データベースを検索して、抽出された前記発信情報から前記内線電話番号を取得する検索手段と、
前記検索手段において前記内線電話番号が１つ検索された場合に、受け付けた着信を検索された前記内線電話番号に対応する前記内線電話機に接続する接続手段と、を備え、
前記内線電話機から前記外線電話網への接続要求があった場合、前記検索手段は、前記相手先電話番号をキーに同じ前記相手先電話番号を備える前記発信情報を検索して、１以上の前記発信情報が検索された場合、抽出された前記発信情報に含まれる１または複数の前記内線電話番号を抽出し、
前記発信手段は、前記検索手段において接続要求を行った前記内線電話機の前記内線電話番号以外の前記内線電話番号が抽出された場合に、抽出された前記内線電話番号とともに記憶されている前記外線電話番号以外の前記外線電話番号を割り当てることを特徴とする内線電話システム。
【請求項３】
前記接続手段は、前記検索手段において前記内線電話番号が複数抽出された場合に、取得された前記内線電話番号毎に前記内線電話番号を選択するための指定番号と前記内線電話番号の利用者情報を前記発信元に対し音声通知することを特徴とする請求項１または２に記載の内線電話システム。
【請求項４】
前記接続手段は、前記検索手段において前記内線電話番号が複数抽出された場合に、取得された前記内線電話番号毎に前記内線電話番号を選択するための指定番号と前記内線電話番号からの発信時刻を前記発信元に対し音声通知することを特徴とする請求項１〜３の何れか１項に記載の内線電話システム。
【請求項５】
前記記憶手段は、前記発信情報を記憶する際に、前記データベースに前記相手先電話番号、前記内線電話番号及び前記外線電話番号が同一の前記発信情報が記憶されている場合に、既に記憶されている発信情報の発信時刻を更新することを特徴とする請求項１〜４の何れか１項に記載の内線電話システム。
【請求項６】
前記接続手段が、前記相手先電話番号からの着信を前記検索手段が検索した前記内線電話番号の１つに接続した場合に、その直後または一定期間後に同じ前記相手先電話番号、前記内線電話番号、前記外線電話番号の前記発信情報を削除することを特徴とする請求項１〜５の何れか１項に記載の内線電話システム。
【発明の詳細な説明】
【技術分野】
【０００１】
本発明は、発着信に使用する複数の外線電話番号を備え、固有の内線電話番号を各別に有する複数の内線電話機が接続する内線電話網と、外線電話網間の発着信の接続を制御する内線電話システムに関する。
【背景技術】
【０００２】
企業等に設置されている一般的な内線電話システムでは、例えば、ＰＢＸ（ｐｒｉｖａｔｅ  ｂｒａｎｃｈ  ｅｘｃｈａｎｇｅｒ、構内交換機）やＩＰ−ＰＢＸ、ＳＩＰ（Ｓｅｓｓｉｏｎ  Ｉｎｉｔｉａｔｉｏｎ  Ｐｒｏｔｏｃｏｌ）という通信制御プロトコルで通信制御を行うＳＩＰサーバ、コールマネージャ等を設置して、内線電話網内における内線電話機の相互接続や、内線電話網と他のＰＢＸや公衆回線網等の外線電話網との接続を制御している。ＰＢＸは、保留、転送、短縮ダイヤル、内線電話機から外線電話網へのコールバック等の機能を提供している。
【０００３】
コールバック機能を備える内線電話システムには、内線電話機の電話番号と相手先電話番号との対応付けを行い、内線電話機から相手先電話機に対するコールバック機能を実現するものがある（例えば、特許文献１参照）。
【０００４】
【特許文献１】特開２０００−１２５０１２号公報
【発明の開示】
【発明が解決しようとする課題】
【０００５】
一般的に、内線電話システムでは、電話事業者と契約している電話回線（外線）を複数備えているが、外線の数より内線電話機の数が多くなるため、内線電話機から外線電話網を介して発信する場合、空いている外線を動的に割り当てて発信を可能にしている。即ち、内線電話番号と外線電話番号とが対応していないことから、着信に使用された外線電話番号から内線電話番号を一意的に特定することができず、内線電話機から呼び出された外線電話網の電話機側から当該内線電話機にコールバックを行うことが困難となっている。従来は、例えば、外線電話網の電話機が当該電話機の呼び出しに使用された外線電話番号に対して発信を行った場合、外線電話番号に対応付けられた内線電話機に着信した後、当該内線電話機から通話を受けた内線電話機に転送する等しなければならなかった。
【０００６】
本発明は上記の問題に鑑みてなされたものであり、その目的は、外線電話網側から内線電話機により容易にコールバックを行うことが可能な内線電話システムを提供する点にある。
【課題を解決するための手段】
【０００７】
上記目的を達成するための本発明に係る内線電話システムは、発着信に使用する複数の外線電話番号を備え、固有の内線電話番号を各別に有する複数の内線電話機が接続する内線電話網と、外線電話網間の発着信の接続を制御する内線電話システムであって、前記内線電話機から前記外線電話網への発信要求があった場合に、使用されていない前記外線電話番号の１つを割り当てて前記内線電話機を前記外線電話網に接続する発信手段と、前記内線電話機が前記外線電話網へ接続されると、発信先の相手先電話番号、前記内線電話機の前記内線電話番号、割り当てられた前記外線電話番号及び発信時刻を含む発信情報を所定のデータベースに記憶する記憶手段と、前記外線電話網から前記複数の外線電話番号の１つへの着信を受け付けると、発信元の相手先電話番号、及び、着信に使用された前記外線電話番号をキーとして前記データベースを検索して、抽出された前記発信情報から前記内線電話番号を取得する検索手段と、前記検索手段において前記内線電話番号が１つ検索された場合に、受け付けた着信を検索された前記内線電話番号に対応する前記内線電話機に接続する接続手段と、を備え、前記内線電話機から前記外線電話網への接続要求があった場合、前記検索手段は、前記内線電話番号と前記相手先電話番号をキーに同じ前記内線電話番号と前記相手先電話番号を備える前記発信情報を検索して、１以上の前記発信情報が抽出された場合、抽出された前記発信情報に含まれる１または複数の前記外線電話番号を抽出し、前記発信手段は、抽出された前記外線電話番号の１つを割り当てて前記外線電話網と接続することを第１の特徴とする。
【０００８】
上記特徴の内線電話システムによれば、発信先の相手先電話番号、内線電話機の内線電話番号、割り当てられた外線電話番号及び発信時刻を含む発信情報を所定のデータベースに記憶し、外線電話網からの着信を受け付けると、発信元の相手先電話番号及び着信に使用された外線電話番号をキーとしてデータベースを検索して、抽出された発信情報から内線電話番号を取得するように構成したので、内線電話番号が１つ検索された場合には、着信に使用された外線電話番号を特定の内線電話番号に対応付けすることが可能になる。これによって、内線電話機からの着信を受け付けた外線電話網に接続された電話機が、着信に使用された外線電話番号に発信要求を行うだけで、内線電話機の指定や転送等の追加の処理を行うことなく、内線電話機にコールバックを行うことが可能になる。
また、上記特徴の内線電話システムによれば、検索手段が、内線電話番号と相手先電話番号をキーに同じ内線電話番号と相手先電話番号を備える発信情報を検索し、発信手段が、検索手段によって抽出された外線電話番号の１つを割り当てて内線電話機を外線電話網と接続するので、外線電話番号から内線電話番号をより特定し易くすることができ、外線電話網からのコールバックを容易に行えるようにすることができる。
【０００９】
上記目的を達成するための本発明に係る内線電話システムは、発着信に使用する複数の外線電話番号を備え、固有の内線電話番号を各別に有する複数の内線電話機が接続する内線電話網と、外線電話網間の発着信の接続を制御する内線電話システムであって、前記内線電話機から前記外線電話網への発信要求があった場合に、使用されていない前記外線電話番号の１つを割り当てて前記内線電話機を前記外線電話網に接続する発信手段と、前記内線電話機が前記外線電話網へ接続されると、発信先の相手先電話番号、前記内線電話機の前記内線電話番号、割り当てられた前記外線電話番号及び発信時刻を含む発信情報を所定のデータベースに記憶する記憶手段と、前記外線電話網から前記複数の外線電話番号の１つへの着信を受け付けると、発信元の相手先電話番号、及び、着信に使用された前記外線電話番号をキーとして前記データベースを検索して、抽出された前記発信情報から前記内線電話番号を取得する検索手段と、前記検索手段において前記内線電話番号が１つ検索された場合に、受け付けた着信を検索された前記内線電話番号に対応する前記内線電話機に接続する接続手段と、を備え、前記内線電話機から前記外線電話網への接続要求があった場合、前記検索手段は、前記相手先電話番号をキーに同じ前記相手先電話番号を備える前記発信情報を検索して、１以上の前記発信情報が検索された場合、抽出された前記発信情報に含まれる１または複数の前記内線電話番号を抽出し、前記発信手段は、前記検索手段において接続要求を行った前記内線電話機の前記内線電話番号以外の前記内線電話番号が抽出された場合に、抽出された前記内線電話番号とともに記憶されている前記外線電話番号以外の前記外線電話番号を割り当てることを第２の特徴とする。
【００１０】
上記特徴の内線電話システムによれば、発信手段が、検索手段において接続要求を行った内線電話機の内線電話番号以外の内線電話番号が抽出された場合に、抽出された前記内線電話番号とともに記憶されている前記外線電話番号以外の前記外線電話番号を割り当てるように構成したので、１つの外線電話番号に複数の内線電話番号が集中して割り当てられるのを防ぐことができ、相手先電話番号及び外線電話番号から内線電話機を特定し易くすることができる。
【００１１】
上記特徴の本発明に係る内線電話システムは、前記接続手段が、前記検索手段において前記内線電話番号が複数抽出された場合に、取得された前記内線電話番号毎に前記内線電話番号を選択するための指定番号と前記内線電話番号の利用者情報を前記発信元に対し音声通知することを第３の特徴とする。
【００１２】
一般的に、外線電話番号の数より内線電話機の数が多いことから、複数の内線電話機から同じ外線電話番号を使用して同じ相手先に発信する場合が考えられ、検出手段において内線電話番号が２以上検索される可能性があり、一意的に外線電話番号と内線電話機とを対応付けることができない場合がある。このような場合に、上記特徴の内線電話システムによれば、利用者情報、例えば、内線電話機の利用者の氏名や所属部署名等を音声通知するので、内線電話機に発信要求した外線電話網の電話機の利用者が容易に内線電話機を指定することが可能になる。
【００１３】
上記何れかの特徴の本発明に係る内線電話システムは、前記接続手段が、前記検索手段において前記内線電話番号が複数抽出された場合に、取得された前記内線電話番号毎に前記内線電話番号を選択するための指定番号と前記内線電話番号からの発信時刻を前記発信元に対し音声通知することを第４の特徴とする。
【００１４】
外線電話番号の数より内線電話機の数が多いことから、一意的に外線電話番号と内線電話機とを対応付けることができない場合があると考えられ、このような場合に、上記特徴の内線電話システムによれば、発信時刻（日時分秒等）を音声通知するので、内線電話機に対し発信要求した外線電話網の電話機の利用者が容易に内線電話機を指定することが可能になる。
【００１５】
上記何れかの特徴の本発明に係る内線電話システムは、前記記憶手段が、前記発信情報を記憶する際に、前記データベースに前記相手先電話番号、前記内線電話番号及び前記外線電話番号が同一の前記発信情報が記憶されている場合に、既に記憶されている発信情報の発信時刻を更新することを第５の特徴とする。
【００１６】
上記特徴の内線電話システムによれば、記憶手段を、相手先電話番号、内線電話番号及び外線電話番号が同一の発信情報が記憶されている場合に、既に記憶されている発信情報を上書きするように構成したので、データベースに記憶する発信情報のデータ量をおさえることができ、発信情報の検索にかかる時間を短縮することが可能になる。
【００１９】
上記何れかの特徴の本発明に係る内線電話システムは、前記接続手段が、前記相手先電話番号からの着信を前記検索手段が検索した前記内線電話番号の１つに接続した場合に、その直後または一定期間後に同じ前記相手先電話番号、前記内線電話番号、前記外線電話番号の前記発信情報を削除することを第６の特徴とする。
【００２０】
上記特徴の内線電話システムによれば、接続手段が相手先電話番号からの着信を検索手段が検索した内線電話番号の１つに接続した場合に、検索手段が検索した発信情報をデータベースから削除するように構成したので、データベースに記憶する発信情報のデータ量をおさえることができ、発信情報の検索にかかる時間を短縮できる。
【発明を実施するための最良の形態】
【００２１】
以下、本発明に係る内線電話システム（以下、適宜「本発明システム」と略称する）の実施形態を図面に基づいて説明する。
【００２２】
本発明システムの構成について図１を基に説明する。本発明システム１は、発着信に使用する複数の外線電話番号を備え、固有の内線電話番号を各別に有する複数の内線電話機２が接続する内線電話網３と、外線電話網５間の発着信の接続を制御する内線電話システムであって、図１に示すように、内線電話機２から外線電話網５への発信要求があった場合に、使用されていない外線電話番号の１つを割り当てて内線電話機２を外線電話網５に接続する発信手段１１と、内線電話機２が外線電話網５へ接続されると、発信先の相手先電話番号、内線電話機２の内線電話番号、割り当てられた外線電話番号及び発信時刻を含む発信情報を所定のデータベース１３に記憶する記憶手段１２と、外線電話網５から複数の外線電話番号の１つへの着信を受け付けると、発信元の相手先電話番号、及び、着信に使用された外線電話番号をキーとしてデータベース１３を検索して、抽出された発信情報から内線電話番号を取得する検索手段１４と、検索手段１４において内線電話番号が１つ検索された場合に、受け付けた着信を検索された内線電話番号に対応する内線電話機２に接続する接続手段１５と、を備えて構成される。
【００２３】
本発明システム１は、コンピュータのハードウェアとそのハードウェア上で実行されるアプリケーションソフトウェアで構成されており、発信手段１１、記憶手段１２、検索手段１４、及び、接続手段１５をソフトウェア処理により実現させるためのプログラムを前記コンピュータ上で実行することにより実現される。本実施形態では、本発明システム１は、企業等のユーザに設置されたＰＢＸ上に構築される場合を想定して説明する。また、ここでの外線電話網５は、公衆電話網や、他のＰＢＸ等に接続された電話網を想定して説明する。
【００２４】
発信手段１１は、内線電話機２から外線電話網５への発信要求があった場合に、使用されていない外線電話番号の１つを割り当てて内線電話機２を外線電話網５に接続する。更に、本実施形態の発信手段１１は、コールバック機能を実現するため、内線電話機２を外線電話網５に接続する際に割り当てた外線電話番号を発信先に通知する。
【００２５】
記憶手段１２は、内線電話機２が外線電話網５へ接続されると、発信先の相手先電話番号、内線電話機２の内線電話番号、割り当てられた外線電話番号及び発信時刻を含む発信情報を所定のデータベース１３に記憶する。本実施形態のデータベース１３は、ＰＢＸに内蔵されたデータベース１３である。
【００２６】
検索手段１４は、外線電話網５から複数の外線電話番号の１つへの着信を受け付けると、発信元の相手先電話番号、及び、着信に使用された外線電話番号をキーとしてデータベース１３を検索して、抽出された発信情報から内線電話番号を取得する。
【００２７】
接続手段１５は、検索手段１４において内線電話番号が１つ検索された場合に、受け付けた着信を検索された内線電話番号に対応する内線電話機２に接続する。更に、本実施形態の接続手段１５は、検索手段１４において内線電話番号が複数抽出された場合に、取得された内線電話番号毎に内線電話番号を選択するための指定番号と内線電話番号の利用者情報を発信元に対し音声通知する。
【００２８】
本発明システム１の動作について図２を基に説明する。本実施形態の本発明システム１は、発信情報の記憶工程（ステップ＃１０１〜＃１０４）と、コールバック制御工程（ステップ＃２０１〜＃２１３）を実行する。
【００２９】
内線電話機２から外線電話網５に対する発信要求があると（ステップ＃１０１）、本発明システム１の発信手段１１は、使用されていない外線電話番号の１つを割り当てて内線電話機２を外線電話網５に接続する（ステップ＃１０２）。更に、発信手段１１は、外線電話網５に接続された発信先に対し外線電話番号の通知を行う。
【００３０】
内線電話機２が外線電話網５へ接続されると、本発明システム１の記憶手段１２は、発信先の相手先電話番号、内線電話機２の内線電話番号、割り当てられた外線電話番号、及び、発信時刻を含む発信情報をデータベース１３に記憶する（ステップ＃１０３）。発信先では、内線電話機２と内線電話網３及び外線電話網５等を介して接続されると、通知された外線電話番号が記録される（ステップ＃１０４）。
【００３１】
外線電話網５の電話機４から内線電話機２に対して発信要求され（ステップ＃２０１）、外線電話網５から複数の外線電話番号の１つへの着信を受け付けると、本発明システム１の検索手段１４は、発信元の相手先電話番号と、着信に使用された外線電話番号を取得する（ステップ＃２０２）。続いて、検索手段１４は、相手先電話番号と外線電話番号をキーとしてデータベース１３内の発信情報を検索する（ステップ＃２０３）。検索手段１４は、抽出された各発信情報から内線電話番号を取得する。
【００３２】
本発明システム１の接続手段１５は、検索手段１４において検索された内線電話番号が１つである場合（ステップ＃２０４でＹｅｓ分岐）、受け付けた着信を検索された内線電話番号に対応する内線電話機２に接続する（ステップ＃２０５、＃２０６）。
【００３３】
接続手段１５は、検索手段１４において検索された内線電話番号が複数である場合（ステップ＃２０４でＮｏ分岐）、外線電話網５の発信元に対し、取得された内線電話番号毎に内線電話番号を選択するための指定番号と内線電話番号の利用者情報を音声通知する（ステップ＃２０７）。利用者情報は、所属部署や氏名等である。本実施形態では、更に、利用者情報とともに発信時刻も通知する。ここでの音声通知は、例えば、「本日お客さまにお電話した弊社の担当者は、イチ・総務部・大阪太郎・１５時３０分、ニ・経理部・京都花子・１６時２５分、サン・企画部・兵庫三郎・１７時００分の３名がいます。接続したい担当者の番号を押して下さい。オペレータにて接続する場合はゼロを押してください。」等である。尚、音声通知は、利用者情報及び発信時刻の何れか１つのみであっても良いし、他の情報を組み合わせて実施しても良い。
【００３４】
音声通知により指定番号（１〜３）の１つの入力を受け付け、接続すべき内線電話機２が特定されると（ステップ＃２０８でＹｅｓ分岐）、接続手段１５は、特定された内線電話機２に接続する（ステップ＃２０９、＃２１０）。音声通知によっても接続すべき内線電話機２が特定されない場合は（ステップ＃２０８でＮｏ分岐）、接続手段１５は、外線電話網５からの着信を、内線電話機２のうちのオペレータによる対応が可能な代表電話に接続する（ステップ＃２１１）。代表電話では、接続すべき内線電話機２が特定されない着信を受け付けると（ステップ＃２１２）、当該着信を接続すべき内線電話機２に接続するために、接続すべき内線電話機２への転送等を行う（ステップ＃２１３）。
【００３５】
〈別実施形態〉
〈１〉上記実施形態では、内線電話機２から外線電話網５への接続要求があった場合、無作為に外線電話番号を割り当てていたが、外線電話番号の割り当てにおいて、同じ発信先に対する接続要求に対して割り当てられる外線電話番号の数をできるだけ少なくすることによって、外線電話網５からの着信に対する内線電話機２の特定率を上げることができる。
【００３６】
例えば、上記実施形態において、内線電話機２から外線電話網５への接続要求があった場合、検索手段１４を、内線電話番号と相手先電話番号をキーに同じ内線電話番号と相手先電話番号を備える発信情報を検索して、１以上の発信情報が抽出された場合、抽出された発信情報に含まれる１または複数の外線電話番号を抽出するように構成し、発信手段１１を、抽出された外線電話番号の１つを割り当てて外線電話網５と接続するように構成しても良い。このように構成することで、内線電話機２から外線電話網５への接続要求があった場合に、同じ発信先に対する接続要求に対して割り当てられる外線電話番号の数をできるだけ少なくすることができ、外線電話網５からの着信に対する内線電話機２の特定率を上げることができる。
【００３７】
〈２〉上記実施形態では、内線電話機２から外線電話網５への接続要求があった場合、無作為に外線電話番号を割り当てていたが、外線電話番号の割り当てにおいて、１つの外線電話番号に集中して内線電話機２が割り当てられないようにすることで、外線電話網５からの着信に対する内線電話機２の特定率を上げることができる。
【００３８】
例えば、上記実施形態において、内線電話機２から外線電話網５への接続要求があった場合、検索手段１４を、相手先電話番号をキーに同じ相手先電話番号を備える発信情報を検索して、１以上の発信情報が検索された場合、抽出された発信情報に含まれる１または複数の内線電話番号を抽出するように構成し、発信手段１１を、検索手段１４において複数の内線電話番号が抽出された場合に、内線電話番号毎に異なる外線電話番号を割り当てるように構成しても良い。このように構成することで、内線電話機２から外線電話網５への接続要求があった場合に、１つの外線電話番号に集中して内線電話機２が割り当てられないようにすることができ、外線電話網５からの着信に対する内線電話機２の特定率を上げることができる。
【００３９】
〈３〉上記実施形態において、記憶手段１２が発信情報を記憶する際に、データベース１３に相手先電話番号、内線電話番号及び外線電話番号が同一の発信情報が記憶されている場合に、既に記憶されている発信情報の発信時刻を更新するように構成しても良い。このように構成することで、データベース１３内の発信情報のデータ量を抑え、検索にかかる時間を短縮することができる。
【００４０】
〈４〉上記実施形態において、接続手段１５を、相手先電話番号からの着信を検索手段１４が検索した内線電話番号の１つに接続した場合に、その直後または一定期間後、例えば、終業後に同じ相手先電話番号、内線電話番号、外線電話番号の発信情報を削除するように構成しても良い。このように構成することで、データベース１３内の発信情報を効率良く整理することができる。また、発信情報の削除までに一定期間をおくことで、一定期間内に外線電話網５からのコールバックが複数ある場合に対応することができる。
【図面の簡単な説明】
【００４１】
【図１】本発明に係る内線電話システムの概略構成を示す概略ブロック図
【図２】本発明に係る内線電話システムの動作を示すフロー図
【符号の説明】
【００４２】
１    本発明に係る内線電話システム
２    内線電話機
３    内線電話網
４    電話機
５    外線電話網
１１  発信手段
１２  記憶手段
１３  データベース
１４  検索手段
１５  接続手段
【図１】
0004716902.tif 000002
【図２】
0004716902.tif 000003